(57)【要約】【課題】必ず薬を持ち歩くことができ、而も薬を見つけ易く、更に知らないうちに落としてしまうといった事故を防ぐ。【解決手段】携帯電話用ストラップ本体２の一部に小型の薬収納容器３を取り付ける。小型の薬収納容器３は、筒状の容器４を上下に分割して収容部５とカバー部６とを形成する。そして、カバー部６を拡圧コイルばね１０の作用力に抗して持ち上げると、収容部５に設けた取出口が露出し、この取出口から収容部５内の薬を取り出す。取り出し後カバー部６に加えた力を解除すると、拡圧コイルばね１０の作用によってカバー部６は押し下げられ、もって取出口は閉じて塞がれる。【選択図】図１
0003121875.tif 000002
【実用新案登録請求の範囲】
【請求項１】
小型の薬収納容器をストラップ本体の一部に取り付けたことを特徴とする携帯電話用ストラップ。
【請求項２】
小型の薬収納容器が、筒状の容器を上下に分割して収容部とカバー部とを形成し、これら収容部とカバー部の合わせ目を一部重ね合わせると共に収容部におけるカバー部と重なった部分に取出口を設け、更にこれら収容部とカバー部とに頂部に環状連結部を設けた細いガイド杆を縦貫させてカバー部を軸方向に移動自在になすと共に、カバー部の頂部とガイド杆の環状連結部との間に拡圧コイルばねを縮設し、該拡圧コイルばねをもってカバー部を常時収容部側へ移動するよう附勢してなる薬収納容器である請求項１記載の携帯電話用ストラップ。
【請求項３】
小型の薬収納容器が、有底円筒状の収容部と、該有底円筒状の収容部の開口部に被せる蓋体とからなり、有底円筒状の収容部の開口部に雌ねじを刻設する一方、蓋体の下部に外周に雄ねじを設けた突起部を形成し、該突起部の雄ねじを収容部の開口部に設けた雌ねじに螺合するようになした薬収納容器である請求項１に記載の携帯電話用ストラップ。
【請求項４】
小型の収納容器が、中央部に収納凹部を設けた板状の容器本体と、該容器本体の上面に設けた、樹脂材からなり、薄肉にして形成したヒンジ部を介して容器本体の収納凹部を開閉する蓋体とからなり、該蓋体を、適宜の手段をもって閉じた状態を保持するようになした薬収納容器である請求項１記載の携帯電話用ストラップ。
【考案の詳細な説明】
【技術分野】
【０００１】  本考案は携帯電話用ストラップに関し、更に詳細には、携帯式の薬収納容器としても使用可能な携帯電話用ストラップに係わる。
【背景技術】
【０００２】  薬は人の生命にかかわるものであって、必要とするときに服用しなければならない。特に心臓病の患者にあっては薬の服用は一刻を争う。【０００３】  このように人の生命にとって大切な薬ではあるが、病院や薬局で出される薬は大量であり、そしてそれらは常に全部を持ち歩かなければならないものではない。このため持ち歩くときには小分けして少量宛持ち歩くことになる。そしてこのように少量宛持ち歩く場合には、通常衣服のポケットに入れたり、バッグに入れたりして持ち歩くことになるが、薬が小さいために見つかりにくく、また知らないうちに落としてしまったり、ときには薬を持ち歩くこと自体を忘れることもある。【０００４】  ところで、携帯電話は必携品の１つであり、これを持っている人は必ずどこにでも持ち歩く。
【考案の開示】
【考案が解決しようとする課題】
【０００５】  本考案は、上記の如く携帯電話は必携品の１つであり、どこにでも持ち歩くことに着目し、これに薬収納容器を一体化させることによって、必ず薬を持ち歩き、而も薬を見つけ易く、そして知らないうちに落としてしまうといったことを未然に防ぐことができるようになしたものである。
【課題を解決するための手段】
【０００６】  而して、本考案の要旨とするところは、小型の薬収納容器をストラップ本体の一部に取り付けたことを特徴とする携帯電話用ストラップにある。【０００７】  また、上記構成において、小型の薬収納容器としては、筒状の容器を上下に分割して収容部とカバー部とを形成し、これら収容部とカバー部の合わせ目を一部重ね合わせると共に収容部におけるカバー部と重なった部分に取出口を設け、更にこれら収容部とカバー部とに頂部に環状連結部を設けた細いガイド杆を縦貫させてカバー部を軸方向に移動自在になすと共に、カバー部の頂部とガイド杆の環状連結部との間に拡圧コイルばねを縮設し、該拡圧コイルばねをもってカバー部を常時収容部側へ移動するよう附勢してなる薬収納容器を、その具体的な一例として挙げることができる。【０００８】  また、上記構成において、小型の薬収納容器の他の例としては、有底円筒状の収容部と、該有底円筒状の収容部の開口部に被せる蓋体とからなり、有底円筒状の収容部の開口部に雌ねじを刻設する一方、蓋体の下部に外周に雄ねじを設けた突起部を形成し、該突起部の雄ねじを収容部の開口部に設けた雌ねじに螺合するようになした薬収納容器、又は中央部に収納凹部を設けた板状の容器本体と、該容器本体の上面に設けた、樹脂材からなり、薄肉にして形成したヒンジ部を介して容器本体の収納凹部を開閉する蓋体とからなり、該蓋体を、適宜の手段をもって閉じた状態を保持するようになした薬収納容器を挙げることができる。
【考案の効果】
【０００９】  本考案によれば、携帯電話用ストラップを携帯式の薬収納容器としても使用可能であり、よってどこにでも必ず持ち歩くことにより、必ず薬を持ち歩くことができ、而も薬を見つけ易く、更に知らないうちに落としてしまうといった事故を未然に防ぐことができるのものである。【００１０】  また、請求項２乃至４に記載の携帯電話用ストラップにあっては、薬の取り出しが容易であると共に、不要時には薬が簡単に容器外に飛び出さないようにすることができるものである。また、密閉されているから、湿気等によって変質する虞もないものである。
【考案を実施するための最良の形態】
【００１１】  本考案を実施するための最良の形態は、小型の薬収納容器をストラップ本体の一部に取り付けたことにある。
【実施例１】
【００１２】  以下、本考案の実施例について説明する。
図１は本考案の第１実施例の斜視図、図２は小型の薬収納容器の中央縦断正面図、図３は作用説明図である。【００１３】  図中、１は携帯電話用ストラップであり、ストラップ本体２の一部に小型の薬収納容器３を取り付けてなるものである。【００１４】  また、本実施例における前記小型の薬収納容器３は、筒状の容器４を上下に分割して収容部５とカバー部６とを形成し、これら収容部５とカバー部６の合わせ目を一部重ね合わせると共に収容部５におけるカバー部６と重なった部分に取出口７を設け、更にこれら収容部５とカバー部６とに頂部に環状連結部８を設けた細いガイド杆９を縦貫させてカバー部６を軸方向に移動自在になすと共に、カバー部６の頂部とガイド杆９の環状連結部８との間に拡圧コイルばね１０を縮設し、該拡圧コイルばね１０をもってカバー部６を常時収容部５側へ移動するよう附勢してなるものである。また、前記ガイド杆９の下端部には雄ねじ１１を設け、該雄ねじ１１にナット１２を螺合させている。【００１５】  次に、本実施例の作用について説明する。
ストラップ本体２の先端に連結環１３を介して小型の薬収納容器３を取り付ける。そして、薬（粒状やカプセル状の薬）を服用するときには、カバー部６を拡圧コイルばね１０の作用力に抗して持ち上げる。収容部５の取出口７が露出したら、薬収納容器３を傾けてこれから収容部５内に収容されている薬（図示せず。）を取り出す。そして取り出し終えたらカバー部６に加えた力を解除すればよく、これによりカバー部６は再び収容部５の取出口７を閉じ、そしてこの状態は拡圧コイルばね１０の作用によって保持される。また、薬を収容部５内に入れるときには、ガイド杆９からナット１２を一旦外して収容部５を下にずらし、そして薬を入れたら再び上にずらし、最後にガイド杆９にナット１２を螺合するものである。
【実施例２】
【００１６】  次に、図４に示した本考案の第２実施例について説明する。
本実施例と前記第１実施例とは、小型の薬収納容器の点において相違するものである。即ち、本実施例に係る小型の薬収納容器１４は、有底円筒状の収容部１５と、該有底円筒状の収容部１５の開口部１５ａに被せる蓋体１６からなり、有底円筒状の収容部１５の開口部１５ａに雌ねじ１７を刻設する一方、蓋体１６の下部に外周に雄ねじ１８を設けた突起部１９を形成し、該突起部１９の雄ねじ１８を収容部１５の開口部１５ａに設けた雌ネジ１７に螺合するようになしたものである。尚、２０は蓋体１６に設けた環状連結体である。【００１７】  而して、本実施例の場合には、蓋体１６を回して着脱し、収容部１５への薬の出し入れを行うものである。また、本実施例の場合には収容部１５の開口部１５ａが広いことから、粒状やカプセル状の薬に限らず、袋や紙に包んだ状態の薬も収容することができるものである。
【実施例３】
【００１８】  次に、図５及び図６に示した本考案の第３実施例について説明する。
本実施例と前記第１実施例とは、小型の薬収納容器の点において相違するものである。即ち、本実施例に係る小型の薬収納容器２１は、中央部に収納凹部２２を設けた板状の容器本体２３と、該容器本体２３の上面に設けた、樹脂材からなり、薄肉にして形成したヒンジ部２４を介して容器本体２３の収納凹部２２を開閉する蓋体２５とからなり、該蓋体２５を、適宜の手段をもって閉じた状態を保持するようになしたものである。また、蓋体２５の閉じた状態を保持する手段として、本実施例では、蓋体２５の自由端に取り付けた雄スナップ２６と、容器本体２３の上面に設けた柔軟な樹脂材からなるスナップ取付片２７に取り付けた雌スナップ２８とをもって構成しており、蓋体２５を閉じたときには該雄スナップ２６と雌スナップ２６を嵌合させるものである。また、２９は容器本体２３に設けた環状連結体である。【００１９】  而して、本実施例の場合には、蓋体２５を開閉して収容部１５への薬の出し入れを行うものである。また、本実施例の場合には収納凹部２２の開口が広いことから、粒状やカプセル状の薬に限らず、袋や紙に包んだ状態の薬も収容することができるものである。
【図面の簡単な説明】
【００２０】
【図１】本考案の第１実施例の斜視図である。
【図２】小型の薬収納容器の中央縦断正面図である。
【図３】本考案の第１実施例の作用説明図である。
【図４】本考案第２実施例における小型の薬収納容器の蓋体を外した状態の斜視図である。
【図５】本考案の第３実施例における小型の薬収納容器の蓋体を開いた状態の斜視図である。
【図６】本考案の第３実施例における小型の薬収納容器の中央縦断側面図である。
【符号の説明】
【００２１】１  携帯電話用ストラップ
２  ストラップ本体
３  小型の薬収納容器
４  筒状の容器
５  収容部
６  カバー部
７  取出部
８  環状連結部
９  ガイド杆
１０  拡圧コイルばね
１１  雄ねじ
１２  ナット
１４  小型の薬収納容器
１５  有底円筒状の収容部
１６  蓋体
２１  小型の薬収納容器
２２  収納凹部
２３  板状の容器本体
２４  ヒンジ部
２５  蓋体
２６  雄スナップ
２８  雌スナップ
【図１】
0003121875.tif 000003
【図２】
0003121875.tif 000004
【図３】
0003121875.tif 000005
【図４】
0003121875.tif 000006
【図５】
0003121875.tif 000007
【図６】
0003121875.tif 000008